(57)【特許請求の範囲】
【請求項１】
無線通信システムにおける複数の変調技法を用いて信号を送信するための方法であって、
少なくとも一つの基準によって、ＱＡＭ（Quadrature Amplitude Modulation）方式と改善されたＱＡＭ方式とのうちの一つを選択するステップと、
前記ＱＡＭ方式が選択された場合、情報ビットを２進チャンネル符号化方式によって符号化し、
前記符号化された情報ビットを前記ＱＡＭ方式によってシンボルマッピングして第１の変調シンボルを出力するステップと、
前記改善されたＱＡＭ方式が選択された場合、前記情報ビットを非２進チャンネル符号化方式によって符号化し、前記符号化された情報ビットを改善されたＱＡＭ方式によってシンボルマッピングして第２の変調シンボルを出力するステップと、
前記第１の変調シンボル又は前記第２の変調シンボルを与えられたリソース領域を介して伝送するステップと、を含むことを特徴とする送信方法。
【請求項２】
前記改善されたＱＡＭ方式は、
ＱＡＭ方式とＦＳＫ方式がハイブリッド化されたＦＱＡＭ方式と、
複数個のアクティブトーンを使用してＦＳＫシンボルを表現するＭＴ−ＦＳＫ（Multi-Tone FSK）方式とＱＡＭ方式がハイブリッド化されたＭＴ−ＦＱＡＭ方式と、
ＱＡＭ方式とＴＳＫ方式がハイブリッド化されたＴＱＡＭ方式とのうち少なくとも一つを含むことを特徴とする請求項１に記載の送信方法。
【請求項３】
前記第２の変調シンボルの各々は、
前記リソース領域のうち予め定められる周波数トーンにマッピングされることを特徴とする請求項１に記載の送信方法。
【請求項４】
前記少なくとも一つの基準は、
受信器の受信信号強度、ＨＡＲＱ（Hybrid Automatic Repeat Request）のサポート、前記改善されたＱＡＭ方式のサポート、隣接セル干渉の非ガウス化程度、前記情報ビットの伝送のために割り当てられたリソース位置のうち少なくとも一つを含むことを特徴とする請求項１に記載の送信方法。
【請求項５】
前記選択するステップは、
受信器からフィードバックされた受信信号強度を所定の臨界値と比較して、前記受信信号強度が前記臨界値未満である場合、前記改善されたＱＡＭ方式を選択するステップと、
前記情報ビットがＨＡＲＱ（Hybrid Automatic Repeat Request）により伝送されない場合、前記改善されたＱＡＭ方式を選択するステップと、
前記受信器が前記改善されたＱＡＭ方式をサポート可能な場合、前記改善されたＱＡＭ方式を選択するステップと、
前記受信器からフィードバックされた、隣接セル干渉の非ガウス化程度を示すパラメータに対応する臨界値を選択し、前記受信器からフィードバックされた受信信号強度が前記臨界値未満である場合、前記改善されたＱＡＭ方式を選択するステップとのうち少なくとも一つを含むことを特徴とする請求項１に記載の送信方法。
【請求項６】
前記２進チャンネル符号化方式は、外部符号化を含み、
前記非２進チャンネル符号化方式は、前記外部符号化及び内部符号化を含むことを特徴とする請求項１に記載の送信方法。
【請求項７】
無線通信システムにおける複数の変調技法を用いて送信された信号を受信するための方法であって、
少なくとも一つの基準によって、ＱＡＭ方式と改善されたＱＡＭ方式とのうちの一つの変調技法を使用して送信された信号を、与えられたリソース領域を介して受信するステップと、
受信信号に適用された変調技法が前記ＱＡＭ方式であるのか、前記改善されたＱＡＭ方式であるのかを確認するステップと、
前記ＱＡＭ方式であることが確認された場合、前記受信信号から復元しようとするシンボルに対するシンボルＬＬＲ（Log Likelihood Ratio）値を計算し、前記シンボルＬＬＲ値を２進チャンネル復号化方式によって復号して情報ビットを復元するステップと、
前記改善されたＱＡＭ方式であることが確認された場合、前記受信信号から復元しようとするビットに対するビットＬＬＲ値を計算し、前記ビットＬＬＲ値を非２進チャンネル復号化方式によって復号して情報ビットを復元するステップと、を含むことを特徴とする受信方法。
【請求項８】
前記改善されたＱＡＭ方式は、
ＱＡＭ方式とＦＳＫ方式がハイブリッド化されたＦＱＡＭ方式と、
複数個のアクティブトーンを使用してＦＳＫシンボルを表現するＭＴ−ＦＳＫ（Multi-Tone FSK）方式とＱＡＭ方式がハイブリッド化されたＭＴ−ＦＱＡＭ方式と、
ＱＡＭ方式とＴＳＫ方式がハイブリッド化されたＴＱＡＭ方式とのうち少なくとも一つを含むことを特徴とする請求項７に記載の受信方法。
【請求項９】
前記改善されたＱＡＭ方式であることが確認された場合、前記受信信号のうち第２の変調シンボルの各々に対応する信号は、前記リソース領域のうち予め定められる周波数トーンを介して受信されることを特徴とする請求項７に記載の受信方法。
【請求項１０】
前記少なくとも一つの基準は、
受信器の受信信号強度、ＨＡＲＱのサポート、前記改善されたＱＡＭ方式のサポート、
隣接セル干渉の非ガウス化程度、前記情報ビットの伝送のために割り当てられたリソース位置のうち少なくとも一つを含むことを特徴とする請求項７に記載の受信方法。
【請求項１１】
前記確認するステップは、
送信器から前記受信信号に適用された変調技法に対する情報を受信するステップを含むことを特徴とする請求項７に記載の受信方法。
【請求項１２】
前記確認するステップは、
送信器にフィードバックした受信信号強度を所定の臨界値と比較して、前記受信信号強度が前記臨界値未満である場合、前記改善されたＱＡＭ方式であるかを確認するステップと、
前記情報ビットがＨＡＲＱ（Hybrid Automatic Repeat Request）により受信されない場合、前記改善されたＱＡＭ方式であるかを確認するステップと、
受信器が前記改善されたＱＡＭ方式をサポート可能な場合、前記改善されたＱＡＭ方式であるかを確認するステップと、
前記送信器にフィードバックされた、隣接セル干渉の非ガウス化程度を示すパラメータに対応する臨界値を選択し、前記送信器にフィードバックされた受信信号強度が前記臨界値未満である場合、前記改善されたＱＡＭ方式であるかを確認するステップとのうち少なくとも一つを含むことを特徴とする請求項７に記載の受信方法。
【請求項１３】
前記２進チャンネル復号化方式は、外部復号化を含み、
前記非２進チャンネル復号化方式は、前記外部復号化及び内部復号化を含むことを特徴とする請求項７に記載の受信方法。
【請求項１４】
無線通信システムにおける複数の変調技法を用いて信号を送信するための装置であって、
少なくとも一つの基準によって、ＱＡＭ方式と改善されたＱＡＭ方式とのうちの一つを選択する選択器と、
前記ＱＡＭ方式が選択された場合、情報ビットを２進チャンネル符号化方式によって符号化し、前記符号化された情報ビットを前記ＱＡＭ方式によってシンボルマッピングして第１の変調シンボルを出力する第１の送信経路と、
前記改善されたＱＡＭ方式が選択された場合、前記情報ビットを非２進チャンネル符号化方式によって符号化し、前記符号化された情報ビットを改善されたＱＡＭ方式によってシンボルマッピングして第２の変調シンボルを出力する第２の送信経路と、
前記第１の変調シンボル又は前記第２の変調シンボルを与えられたリソース領域を介して伝送するリソースマッピング器と、を含むことを特徴とする送信装置。
【請求項１５】
前記改善されたＱＡＭ方式は、
ＱＡＭ方式とＦＳＫ方式がハイブリッド化されたＦＱＡＭ方式と、
複数個のアクティブトーンを使用してＦＳＫシンボルを表現するＭＴ−ＦＳＫ（Multi-Tone FSK）方式とＱＡＭ方式がハイブリッド化されたＭＴ−ＦＱＡＭ方式と、
ＱＡＭ方式とＴＳＫ方式がハイブリッド化されたＴＱＡＭ方式とのうち少なくとも一つを含むことを特徴とする請求項１４に記載の送信装置。
【請求項１６】
前記第２の変調シンボルの各々は、
前記リソース領域のうち予め定められる周波数トーンにマッピングされることを特徴とする請求項１４に記載の送信装置。
【請求項１７】
前記少なくとも一つの基準は、
受信器の受信信号強度、ＨＡＲＱ（Hybrid Automatic Repeat Request）のサポート、前記改善されたＱＡＭ方式のサポート、隣接セル干渉の非ガウス化程度、前記情報ビットの伝送のために割り当てられたリソース位置のうち少なくとも一つを含むことを特徴とする請求項１４に記載の送信装置。
【請求項１８】
前記選択器は、
受信器からフィードバックされた受信信号強度を所定の臨界値と比較して、前記受信信号強度が前記臨界値未満である場合、前記改善されたＱＡＭ方式を選択する動作と、
前記情報ビットがＨＡＲＱ（Hybrid Automatic Repeat Request）により伝送されない場合、前記改善されたＱＡＭ方式を選択する動作と、
前記受信器が前記改善されたＱＡＭ方式をサポート可能な場合、前記改善されたＱＡＭ方式を選択する動作と、
前記受信器からフィードバックされた、隣接セル干渉の非ガウス化程度を示すパラメータに対応する臨界値を選択し、前記受信器からフィードバックされた受信信号強度が前記臨界値未満である場合、前記改善されたＱＡＭ方式を選択する動作とのうち少なくとも一つを実行することを特徴とする請求項１４に記載の送信装置。
【請求項１９】
前記２進チャンネル符号化方式は、外部符号化を含み、
前記非２進チャンネル符号化方式は、前記外部符号化及び内部符号化を含むことを特徴とする請求項１４に記載の送信装置。
【請求項２０】
無線通信システムにおける複数の変調技法を用いて送信された信号を受信するための装置であって、
少なくとも一つの基準によって、ＱＡＭ方式と、改善されたＱＡＭ方式とのうちの一つの変調技法を使用して送信された信号を、与えられたリソース領域を介して受信するリソースデマッピング器と、
受信信号に適用された変調技法が前記ＱＡＭ方式であるのか、前記改善されたＱＡＭ方式であるのかを確認する選択器と、
前記ＱＡＭ方式であることが確認された場合、前記受信信号から復元しようとするシンボルに対するシンボルＬＬＲ値を計算し、前記シンボルＬＬＲ値を２進チャンネル復号化方式によって復号して情報ビットを復元する第１の受信経路と、
前記改善されたＱＡＭ方式であることが確認された場合、前記受信信号から復元しようとするビットに対するビットＬＬＲ値を計算し、前記ビットＬＬＲ値を非２進チャンネル復号化方式によって復号して情報ビットを復元する第２の受信経路と、を含むことを特徴とする受信装置。
【請求項２１】
前記改善されたＱＡＭ方式は、
ＱＡＭ方式とＦＳＫ方式がハイブリッド化されたＦＱＡＭ方式と、
複数個のアクティブトーンを使用してＦＳＫシンボルを表現するＭＴ−ＦＳＫ（Multi-Tone FSK）方式とＱＡＭ方式がハイブリッド化されたＭＴ−ＦＱＡＭ方式と、
ＱＡＭ方式とＴＳＫ方式がハイブリッド化されたＴＱＡＭ方式とのうち少なくとも一つを含むことを特徴とする請求項２０に記載の受信装置。
【請求項２２】
前記改善されたＱＡＭ方式であることが確認された場合、前記受信信号のうち第２の変調シンボルの各々に対応する信号は、前記リソース領域のうち予め定められる周波数トーンを介して受信されることを特徴とする請求項２０に記載の受信装置。
【請求項２３】
前記少なくとも一つの基準は、
受信器の受信信号強度、ＨＡＲＱのサポート、前記改善されたＱＡＭ方式のサポート、隣接セル干渉の非ガウス化程度、前記情報ビットの伝送のために割り当てられたリソース位置のうち少なくとも一つを含むことを特徴とする請求項２０に記載の受信装置。
【請求項２４】
前記選択器は、
送信器から前記受信信号に適用された変調技法に対する情報を受信することを特徴とする請求項２０に記載の受信装置。
【請求項２５】
前記選択器は、
送信器にフィードバックした受信信号強度を所定の臨界値と比較して、前記受信信号強度が前記臨界値未満である場合、前記改善されたＱＡＭ方式であるかを確認する動作と、
前記情報ビットがＨＡＲＱ（Hybrid Automatic Repeat Request）により受信されない場合、前記改善されたＱＡＭ方式であるかを確認する動作と、
受信器が前記改善されたＱＡＭ方式をサポート可能な場合、前記改善されたＱＡＭ方式であるかを確認する動作と、
前記送信器にフィードバックされた、隣接セル干渉の非ガウス化程度を示すパラメータに対応する臨界値を選択し、前記送信器にフィードバックされた受信信号強度が前記臨界値未満である場合、前記改善されたＱＡＭ方式であるかを確認する動作とのうち少なくとも一つを含むことを特徴とする請求項２０に記載の受信装置。
【請求項２６】
前記２進チャンネル復号化方式は、外部復号化を含み、
前記非２進チャンネル復号化方式は、前記外部復号化及び内部復号化を含むことを特徴とする請求項２０に記載の受信装置。
【発明の詳細な説明】
【技術分野】
【０００１】
本発明は、通信システムにおける信号の送受信に関し、特に、信号の送受信において多様な変調及び符号化技法（Modulation and Coding Scheme：ＭＣＳ）をサポートするための方法及び装置に関する。
【背景技術】
【０００２】
無線通信システムは、持続的に増加する無線データトラフィック需要を充足させるために、より高いデータ伝送率をサポートする方向に発展している。例えば、無線通信システムは、データ伝送率増加のためにＯＦＤＭＡ（Orthogonal Frequency Division Multiple Access）、ＭＩＭＯ（Multiple Input Multiple Output）送受信などの通信技術に基づいて周波数効率性（Spectral Efficiency）を改善し、チャンネル容量を増大させる方向に技術開発が進行している。
【０００３】
一方、無線移動通信システムにおいてセル中心から遠いセル境界の低いＳＮＲ（Signal-to-Noise Ratio）の状況や、隣接セルの基地局から大きい干渉を受ける低いＣＩＮＲ（Carrier-to-Interference and Noise Ratio）の状況にあるセル境界ユーザ（cell-edge user）は、全体システム性能を制限する要素となる。したがって、上記セル境界ユーザに対する伝送効率を増大させるために、ＩＣＩＣ（Inter-Cell Interference-Coordination）、ＣｏＭＰ（Coordinated Multi-Points）、受信端干渉除去（interference cancellation）のような技術が開発されている。
【０００４】
上述した技術は、主に送信端での干渉制御や受信端での干渉除去技術観点で研究が進行されたが、より根本的には、セル境界領域環境のユーザに最適にチャンネル容量を増大させることができる、より改善された技術に対する必要性が増加している。
【発明の概要】
【発明が解決しようとする課題】
【０００５】
本発明は、通信システムにおいて信号を送受信するための方法及び装置を提供する。
本発明は、無線通信システムにおける複数の変調及び符号化技法をサポートするための送受信方法及び装置を提供する。
本発明は、無線通信システムにおける多様な変調及び符号化技法をサポートするにあって送受信器の計算複雑度も減少させる方法及び装置を提供する。
【０００６】
本発明は、無線通信システムにおける多様な改善された（advanced）直交振幅変調（Quadrature Amplitude Modulation：ＱＡＭ）技法をサポートするための方法及び装置を提供する。
本発明は、無線通信システムにおけるＱＡＭと改善されたＱＡＭ技法をサポートするための方法及び装置を開示する。
本発明は、無線通信システムで、ＱＡＭと、ＱＡＭと周波数遷移変調（Frequency Shift Keying：ＦＳＫ）が結合された周波数直交振幅変調（hybrid FSK and QAM Modulation：ＦＱＡＭ）技法をサポートするための方法及び装置を開示する。
本発明は、無線通信システムで、ＱＡＭと、ＱＡＭと時間遷移変調（Time Shift Keying：ＦＳＫ）が結合された時間直交振幅変調（hybrid TSK and QAM Modulation：ＴＱＡＭ）技法をサポートするための方法及び装置を開示する。
【課題を解決するための手段】
【０００７】
本発明の望ましい実施態様による方法は、無線通信システムにおける複数の変調技法を用いて信号を送信するための方法であって、予め定められる少なくとも一つの基準によって、ＱＡＭ（Quadrature Amplitude Modulation）と改善されたＱＡＭとのうちの一つを選択するステップと、上記ＱＡＭが選択された場合、伝送しようとする情報ビットを第１の符号化方式によって符号化し、符号化された情報ビットをＱＡＭシンボルにマッピングするステップと、上記改善されたＱＡＭが選択された場合、上記情報ビットを第２の符号化方式によって符号化し、符号化された情報ビットを改善されたＱＡＭシンボルにマッピングするステップと、上記ＱＡＭシンボル又は上記改善されたＱＡＭシンボルを与えられたリソース領域を介して伝送するステップと、を含む。
【０００８】
本発明の別の実施態様による方法は、無線通信システムにおける複数の変調技法を用いて送信された信号を受信するための方法であって、予め定められる少なくとも一つの基準によって、ＱＡＭと改善されたＱＡＭとのうちの一つの変調技法を使用して送信された信号を、与えられたリソース領域を介して受信するステップと、上記受信信号に適用された変調技法を選択するステップと、上記ＱＡＭが選択された場合、上記受信信号から復元しようとするシンボルに対するシンボルＬＬＲ（Log Likelihood Ratio）値を計算し、上記シンボルＬＬＲ値を第１の復号化方式によって復号して情報ビットを復元するステップと、上記改善されたＱＡＭが選択された場合、上記受信信号から復元しようとするビットに対するビットＬＬＲ値を計算し、上記ビットＬＬＲ値を第２の復号化方式によって復号して情報ビットを復元するステップと、を含む。
【０００９】
本発明の一実施態様による装置は、無線通信システムにおける複数の変調技法を用いて信号を送信するための装置であって、予め定められる少なくとも一つの基準によって、ＱＡＭと改善されたＱＡＭとのうちの一つを選択する選択器と、上記ＱＡＭが選択された場合、伝送しようとする情報ビットを第１の符号化方式によって符号化し、符号化された情報ビットをＱＡＭシンボルにマッピングする第１の送信経路と、上記改善されたＱＡＭが選択された場合、上記情報ビットを第２の符号化方式によって符号化し、符号化された情報ビットを改善されたＱＡＭシンボルにマッピングする第２の送信経路と、上記ＱＡＭシンボル又は上記改善されたＱＡＭシンボルを与えられたリソース領域を介して伝送するリソースマッピング器と、を含む。
【００１０】
本発明の別の実施態様による装置は、無線通信システムにおける複数の変調技法を用いて送信された信号を受信するための装置であって、予め定められる少なくとも一つの基準によって、ＱＡＭと、ＱＡＭとＦＳＫが結合された改善されたＱＡＭとのうちの一つの変調技法を使用して送信された信号を、与えられたリソース領域を介して受信するリソースデマッピング器と、上記受信信号に適用された変調技法を選択する選択器と、上記ＱＡＭが選択された場合、上記受信信号から復元しようとするシンボルに対するシンボルＬＬＲ値を計算し、上記シンボルＬＬＲ値を第１の復号化方式によって復号して情報ビットを復元する第１の受信経路と、上記改善されたＱＡＭが選択された場合、上記受信信号から復元しようとするビットに対するビットＬＬＲ値を計算し、上記ビットＬＬＲ値を第２の復号化方式によって復号して情報ビットを復元する第２の受信経路と、を含む。
【図面の簡単な説明】
【００１１】
【図１ａ】本発明の一実施形態によるＦＱＡＭを説明するための図である。
【図１ｂ】本発明の一実施形態による多重トーン周波数直交振幅変調（Multi-Tone FQAM：ＭＴ−ＦＱＡＭ）を説明するための図である。
【図１ｃ】本発明の一実施形態によるＴＱＡＭを説明するための図である。
【図１ｄ】統計パラメータαの相異なる値によるＱＡＭ及びＦＱＡＭのスペクトル効率を示す図である。
【図１ｅ】統計パラメータαの相異なる値によるＱＡＭ及びＦＱＡＭのスペクトル効率を示す図である。
【図２】本発明の一実施形態によって、ＱＡＭと改善されたＱＡＭをサポートする送信器構造を示したブロック図である。
【図３】本発明の一実施形態によって、ＱＡＭと改善されたＱＡＭをサポートする受信器構造を示したブロック図である。
【図４】本発明の別の実施形態によって、ＱＡＭと改善されたＱＡＭをサポートする送信器構造を示したブロック図である。
【図５】本発明の別の実施形態によって、ＱＡＭと改善されたＱＡＭをサポートする受信器構造を示したブロック図である。
【図６】本発明の一実施形態によるＦＱＡＭ方式とＭ進ＣＭ方式をサポートする送信器構造を示したブロック図である。
【図７】本発明の一実施形態によるＦＱＡＭ方式とＭ進ＣＭ方式をサポートする送信器構造のための制御動作を示した図である。
【図８】本発明の一実施形態によるＦＱＡＭ方式とＭ進ＣＭ方式をサポートする受信器構造を示したブロック図である。
【図９】本発明の一実施形態によるＦＱＡＭ方式とＭ進ＣＭ方式をサポートする送信器の信号送信動作を示した順序図である。
【図１０】本発明の一実施形態によるＦＱＡＭ方式とＭ進ＣＭ方式をサポートする受信器の信号受信動作を示した順序図である。
【発明を実施するための形態】
【００１２】
以下、本発明の望ましい実施形態を添付の図面を参照して詳細に説明する。本発明の以下の説明では、関連した公知の機能又は構成の詳細な説明は、本発明の要旨を不明瞭にする可能性がある場合に省略されることがある。そして、後述される用語は、本発明における機能を考慮して定義されたものであり、これは、使用者、運用者の意図または慣例などによって変わることがある。したがって、その定義は、本明細書の全般にかけた内容に基づいて解釈されるべきである。
【００１３】
後述する本発明の実施形態は、無線移動通信システムの送受信において、帯域幅観点で効率的な（bandwidth-efficient）変調方式と電力観点で効率的な（power-efficient）変調方式を組み合わせる技術に関する。具体的には、下記では、ＱＡＭ（Quadrature Amplitude Modulation）と改善されたＱＡＭ変調技術を運用する方法及び装置を説明する。
【００１４】
ＱＡＭは、干渉信号の特性を最大限ガウス（Gaussian）に近くさせるために使用される変調方式である。しかし、ガウスチャンネルよりも非ガウス（Non-Gaussian）チャンネルがより大きいチャンネル容量を有するので、適切な復号が実行されると、ガウスチャンネルよりも非ガウスチャンネルで、より高い復号性能を得ることができる。改善されたＱＡＭとは、ＱＡＭを基盤としながら、隣接セル干渉を非ガウス化させる変調方式を意味する。改善されたＱＡＭの例としては、ＱＡＭとＦＳＫがハイブリッド化されたＦＱＡＭと、複数個のアクティブトーン（active tone）を使用してＦＳＫシンボルを表現するＭＴ−ＦＳＫ（Multi-Tone FSK）とＱＡＭがハイブリッド化されたＭＴ−ＦＱＡＭと、ＱＡＭとＴＳＫがハイブリッド化されたＴＱＡＭなどがある。以下、改善されたＱＡＭの例を説明するが、本発明が後述する改善されたＱＡＭの例に限定されるものではなく、隣接セル干渉を非ガウス化させる変調技法に拡張できることは、当業者にとって自明である。
【００１５】
図１ａは、本発明の一実施形態によるＦＱＡＭを説明するための図である。図示したように、ＦＱＡＭは、信号配置図及び周波数位置を用いて情報ビットを載せる変調技法である。ここでは、４進ＱＡＭ、すなわち、４−ＱＡＭ（ＱＰＳＫ）と４個の変調周波数を使用する４−ＦＳＫが結合された１６−ＦＱＡＭの例を示した。
【００１６】
図１ａの（ａ）を参照すると、４−ＱＡＭの信号配置図は、変調されたデジタル信号がマッピングされ得る４個の信号点Ｓ１、Ｓ２、Ｓ３、Ｓ４を含む。上記信号点は、同一の大きさを有し、相互間に９０度の位相差を有する複素（complex）変調シンボル（ａ，ａ）、（−ａ，ａ）、（−ａ，−ａ）、（ａ，−ａ）で構成される。例えば、上記信号点に情報シーケンス‘００’、‘０１’、‘１０’、‘１１’がマッピングされ得る。図１ａの（ｂ）を参照すると、４−ＦＳＫは、情報シーケンスを相異なる４個の変調周波数のうちの一つに載せて伝送する。例えば、情報シーケンス‘００’、‘０１’、‘１０’、又は‘１１’に対して、ｆ１、ｆ２、ｆ３、又はｆ４の信号パルスが伝送され得る。
【００１７】
図１ａの（ｃ）を参照すると、４−ＱＡＭと４−ＦＳＫが結合された１６−ＦＱＡＭは、４個の変調周波数ｆ１、ｆ２、ｆ３、ｆ４のうちの一つで、４個の信号点Ｓ１、Ｓ２、Ｓ３、Ｓ４のうちの一つを伝送することができる。これによって、１６−ＦＱＡＭは、４−ＱＡＭ又は４−ＦＳＫと同一の量の伝送リソースを使用しながら、１６個の情報（すなわち、４個の情報ビット）を伝送可能である。ＦＱＡＭの変調次数Ｍは、ＱＡＭの変調次数ＭＱとＦＳＫの変調次数ＭＦの積で決定され得る。
【００１８】
図１ａでは、単一トーン（single-tone）ＦＱＡＭを示したが、各種周波数の多様なパターンを用いてビット情報を載せる多重トーンＦＱＡＭ（ＭＴ−ＦＱＡＭ）が具現され得る。ＭＴ−ＦＱＡＭは、ＱＡＭとＭＴ−ＦＳＫの組合せで具現される。
図１ｂは、本発明の一実施形態によるＭＴ−ＦＱＡＭを説明するための図である。ここでは、４−ＱＡＭ（ＱＰＳＫ）と、７個の周波数トーンと４個の周波数トーンの組合せパターンを使用するＭＴ−ＦＳＫが結合されたＭＴ−ＦＱＡＭの例を示した。
【００１９】
図１ｂの（ａ）を参照すると、４−ＱＡＭの信号配置図は、変調されたデジタル信号がマッピングされ得る４個の信号点Ｓ１、Ｓ２、Ｓ３、Ｓ４を含む。上記信号点は、同一の大きさを有し、相互間に９０度の位相差を有する複素変調シンボル（ａ，ａ）、（−ａ，ａ）、（−ａ，−ａ）、（ａ，−ａ）で構成される。例えば、上記信号点に情報シーケンス‘００’、‘０１’、‘１０’、‘１１’が各々マッピングされ得る。図１ａの（ｂ）を参照すると、７−ＦＳＫは、情報シーケンスをそれぞれ異なる７個の周波数トーンのうち３個の周波数トーンに載せて伝送する。例えば、情報シーケンス‘００’、‘０１’、‘１０’、又は‘１１’に対して、（ｆ１，ｆ２，ｆ３）、（ｆ１，ｆ４，ｆ５）、（ｆ１，ｆ６，ｆ７）、又は（ｆ２，ｆ４，ｆ６）の信号パルスセットが伝送されることができる。
【００２０】
図１ｂの（ｃ）を参照すると、４−ＱＡＭとＭＴ−ＦＳＫが結合されたＭＴ−ＦＱＡＭは、７個の周波数トーンｆ１、ｆ２、…、ｆ７のうち所定パターンに従う３個の周波数トーンで、４個の信号点Ｓ１、Ｓ２、Ｓ３、Ｓ４のうちの一つを伝送することができる。これによって、ＭＴ−ＦＱＡＭは、４−ＱＡＭ又は７−ＦＳＫと同一の量の伝送リソースを使用しながら、１６個の情報（すなわち、４個の情報ビット）を伝送可能である。
【００２１】
図１ｃは、本発明の一実施形態によるＴＱＡＭを説明するための図である。図示したように、ＴＱＡＭは、信号配置図及び時間位置を用いて情報ビットを載せる変調技法である。ここでは、４進ＱＡＭ、すなわち、４−ＱＡＭ（ＱＰＳＫ）と４個の時間（ＯＦＤＭＡ）シンボルを使用する４−ＴＳＫが結合された１６−ＴＱＡＭの例を示した。
【００２２】
図１ｃの（ａ）を参照すると、４−ＱＡＭの信号配置図は、変調されたデジタル信号がマッピングされ得る４個の信号点Ｓ１、Ｓ２、Ｓ３、Ｓ４を含む。上記信号点は、同一の大きさを有し、相互間に９０度の位相差を有する複素変調シンボル（ａ，ａ）、（−ａ，ａ）、（−ａ，−ａ）、（ａ，−ａ）で構成される。例えば、上記信号点に情報シーケンス‘００’、‘０１’、‘１０’、‘１１’がマッピングされ得る。図１ｃの（ｂ）を参照すると、４−ＴＳＫは、情報シーケンスをそれぞれ異なる４個のＯＦＤＭＡシンボルのうちの一つに載せて伝送する。例えば、情報シーケンス‘００’、‘０１’、‘１０’、又は‘１１’に対して、ｓ［１］、ｓ［２］、ｓ［３］、又はｓ［４］のＯＦＤＭＡシンボルが伝送され得る。
【００２３】
図１ｃの（ｃ）を参照すると、４−ＱＡＭと４−ＴＳＫが結合された１６−ＴＱＡＭは、４個のＯＦＤＭＡシンボルｓ［１］、ｓ［２］、ｓ［３］、ｓ［４］のうちの一つに、４個の信号点Ｓ１、Ｓ２、Ｓ３、Ｓ４のうちの一つがマッピングされる。これで、１６−ＴＱＡＭは、４−ＱＡＭ又は４−ＴＳＫと同一の量の伝送リソースを使用しながら、１６個の情報（すなわち、４個の情報ビット）を伝送可能である。ＦＱＡＭの変調次数Ｍは、ＱＡＭの変調次数ＭＱとＴＳＫの変調次数ＭＴの積で決定され得る。
【００２４】
ＱＡＭは、主に干渉が大きくない多重セル環境で帯域幅効率（bandwidth efficiency）を極大化するために適用されてきた。Ｍ進（M-ary）ＱＡＭのためのＭ進シンボルには、変調効率を最適化する符号化されたビットがマッピング（mapping）され得る。上記次数Ｍによる効率差が大きくないために、ＱＡＭは、非２進／Ｍ進符号化（non-binary/M-ary code)技法よりは、主に複雑度が低い２進符号化（binary encoding）技法と結合して使用され得る。
【００２５】
一方、改善されたＱＡＭは、変調効率を極大化するために、ビット−シンボルマッピング（bit-to-symbol mapping）に影響を受けない非２進符号化技法と結合されるか、ビット−シンボルマッピングの効率を極大化するための技術を必要とする。しかし、非２進符号化技法又はビット−シンボルマッピングの効率を極大化するための技術の両方は、符号化（encoding）及び復号化（decoding）において計算複雑度が非常に大きい。
したがって、本発明の後述する実施形態では、変調技法によって相異なる符号化技法を適用する。具体的には、相異なる符号化技法を使用してＱＡＭと改善されたＱＡＭをサポートする。
【００２６】
送信器は、予め定められる少なくとも一つの基準によって、ＱＡＭと改善されたＱＡＭとのうちのいずれか一つの変調技法を選択する。
一実施形態として、変調技法は、受信信号強度、例えば、受信信号対干渉及び雑音比（ＳＩＮＲ：signal to interference noise ratio）を基準にして選択され得る。改善されたＱＡＭは、基本的に電力−効率的な（power-efficient）ＦＳＫを含むために、低いＳＩＮＲ領域でＱＡＭに比べて向上した性能を示す。したがって、ダウンリンクの場合、基地局は、特定ＳＩＮＲ臨界値を基準にして上記臨界値より高い（又は高いか同一の）受信ＳＩＮＲを有する端末には、ＱＡＭ変調技法を使用して信号を伝送し、上記臨界値よりも低い受信ＳＩＮＲを有する端末には、改善されたＱＡＭ変調技法を使用して信号を伝送する。端末の受信ＳＩＮＲは、チャンネル品質指示子（channel quality indicator：ＣＱＩ）のような形態で端末から基地局に報告され得る。アップリンクの場合も、端末は、類似の基準によって変調技法を選択することができる。別の実施形態として、基地局は、アップリンクに対して測定されたＳＩＮＲによってアップリンクのための変調技法を選択した後に、選択された変調技法を端末に通報することができる。
【００２７】
組み合わせ可能な別の実施形態として、変調技法は、伝送しようとする信号のタイプ又はＨＡＲＱ（hybrid automatic repeat and request）のサポート可否（HARQ support）を基準にして選択し得る。非２進チャンネル復号器が使用される場合に、復号にかかる時間が長くなることがあるために、速いＨＡＲＱ応答（ACK or NACK）が難しい場合がある。したがって、送信器は、伝送しようとする信号のタイプによって、ＨＡＲＱが適用されない信号、例えば、放送信号、マルチキャスト信号、ユニキャスト制御信号などのためには、改善されたＱＡＭ変調技法を選択し、ＨＡＲＱが適用されるそれ以外の信号のためには、ＱＡＭ変調技法を選択することができる。選択可能な実施形態として、改善されたＱＡＭで変調された信号のためのＨＡＲＱ応答の最大待機時間は、ＱＡＭで変調された信号に比べて長く定められることができ、送信器は、伝送しようとする信号に対して設定されたＨＡＲＱ応答の最大待機時間によって、ＱＡＭ又は改善されたＱＡＭを選択する。すなわち、ＱＡＭと改善されたＱＡＭのＨＡＲＱタイミングが相異なるように設定され得る。
【００２８】
組み合わせ可能なさらに別の実施形態として、変調技法は、端末の性能（capability）を基準にして選択され得る。基地局は、改善されたＱＡＭ変調技法をサポートできる端末とサポートできない端末を区分し、改善されたＱＡＭ変調技法をサポート可能な端末のための信号に対してのみ改善されたＱＡＭ変調技法を選択する。端末の性能は、例えば、端末が基地局に進入する時、端末と基地局の交渉手順で基地局により獲得され得る。
【００２９】
組み合わせ可能なさらにまた別の実施形態として、変調技法は、受信信号強度とともに、隣接セル干渉の非ガウス化程度を示すパラメータを追加的に考慮して選択され得る。
上述したようにＱＡＭは、隣接セル干渉をガウス化させるので、ＱＡＭのスペクトル効率（Spectral Efficiency：ＳＥ）は、隣接セル干渉の非ガウス化程度に影響を受けない。一方、改善されたＱＡＭは、隣接セル干渉を非ガウス化させるので、改善されたＱＡＭのスペクトル効率は、ＳＩＮＲだけでなく、非ガウス化程度により従属される。隣接セル干渉の非ガウス化程度を示すパラメータは、αと表示されることができ、端末からフィードバックされ得る。例えば、端末は、干渉チャンネルでの干渉成分が複素一般化ガウス（Complex Generalized Gaussian：ＣＧＧ）分布を有するという仮定の下に、受信信号をモデリングすることにより、統計パラメータαを求めることができる。
【００３０】
図１ｄ及び図１ｅは、統計パラメータαの相異なる値によるＱＡＭとＦＱＡＭのスペクトル効率を示した図である。図１ｄは、α＝０.５である場合、スペクトル効率の変化に従うＱＡＭとＦＱＡＭの特性曲線（Hull curves）を示した図であり、図１ｅは、α＝０.７である場合、スペクトル効率の変化に従うＱＡＭとＦＱＡＭの特性曲線を示した図である。図１ｄを参照すると、α＝０.５である場合、ＳＩＮＲ＝−０.５４１０６以上でＱＡＭがより高いスペクトル効率を有する。図１ｅを参照すると、α＝０.７である場合、ＳＩＮＲ＝−２.０２０９７以上でＱＡＭがより高いスペクトル効率を有する。
下記＜表１＞及び＜表２＞は、各々α＝０.５とα＝０.７である場合、ＳＩＮＲとスペクトル効率（ＳＥ）によるＦＱＡＭのＭＣＳを示したものである。
【００３１】
【表１】
0006465810.tif 000002
【表２】
0006465810.tif 000003
【００３２】
ここで、ｘＦｙＱＡＭは、変調次数ｘのＦＳＫと変調次数ｙのＱＡＭを意味し、Ｒは、有効符号率（effective code rate）を意味する。上記表に示したように、ＦＱＡＭのＭＣＳは、パラメータαによって変更されることが分かる。
したがって、基地局は、端末からフィードバックされたパラメータαに基づいてＳＩＮＲの臨界値を設定し、端末からフィードバックされたＳＩＮＲが上記臨界値より高い場合、上記端末に対してＱＡＭを選択し、そうでない場合、ＦＱＡＭを選択する。一実施形態として、基地局は、パラメータαの範囲に各々対応するＳＩＮＲの臨界値に対する情報を保存し、端末からパラメータαが受信された場合、それに対応するＳＩＮＲの臨界値を決定することができる。
【００３３】
組み合わせ可能なさらに別の実施形態として、変調技法は、伝送される信号が割り当てられるリソース位置によって選択され得る。例えば、システムで、ＱＡＭ周波数帯域と改善されたＱＡＭ周波数帯域を分離して運用する場合、特定データパケットのＭＣＳは、基地局のスケジューラが上記データパケットをＱＡＭ周波数帯域に割り当てるか又は改善されたＱＡＭ周波数帯域に割り当てるかによって定められることができる。したがって、ＱＡＭと改善されたＱＡＭのスイッチングは、データパケットをどの周波数帯域に割り当てるかに対するスケジューリングポリシーによって遂行される。
【００３４】
スケジューラの決定のための入力は、上述した受信信号強度（すなわち、ＳＩＮＲ）、隣接セル干渉の非ガウス化を示すパラメータα、ＨＡＲＱサポートであり得、追加的にデータパケット割り当てに対する公正性（Fairness）、改善されたＱＡＭ周波数帯域の負荷状況がスケジューリングポリシーとしてさらに考慮され得る。すなわち、スケジューラは、特定データパケットの伝送にＱＡＭがより適しているとしても、改善されたＱＡＭ周波数帯域を満たすために上記データパケットの伝送のために改善されたＱＡＭ変調技法を選択することができる。これは、特定セルで改善されたＱＡＭ周波数帯域にデータを満たして伝送しなければ、周辺セルの改善されたＱＡＭ周波数帯域の性能が維持されないからである。
【００３５】
送信器又は基地局は、上述した実施形態のうちの一つ又はそれ以上の基準によって、ＱＡＭと改善されたＱＡＭとのうちのいずれか一つの変調技法を選択し、選択された変調技法によって信号を符号化及び変調する。選択された変調技法は、予め定められるシグナリング手段、例えば、物理ダウンリンク制御チャンネル（Physical Downlink Control Channel：ＰＤＣＣＨ）を通して受信器に直接通報されるか、又は受信器が予め約束された基準によって送信器により選択された変調技法を推定する。
【００３６】
図２は、本発明の一実施形態によって、ＱＡＭと改善されたＱＡＭをサポートする送信器構造を示したブロック図である。図示された構造で、改善されたＱＡＭ変調技法のためには、非２進チャンネル符号化が使用され、ＱＡＭ変調技法のためには、２進チャンネル符号化が使用される。以下では、改善されたＱＡＭの例としてＦＱＡＭを説明するが、本発明はＦＱＡＭに限定されるものではない。
【００３７】
図２を参照すると、選択器２０２は、受信器からフィードバックされた受信ＳＩＮＲと、受信器のＨＡＲＱサポート可否と、受信器の性能と、隣接セル干渉の非ガウス化程度などのような予め定められる少なくとも一つの基準によって、変調技法を選択する。選択された変調技法によって、選択器２０２に入力された情報ビットは、スイッチ２０４を通してＦＱＡＭ経路２０６、２０８、２１０、２１２とＱＡＭ経路２１４、２１６、２１８、２２０とのうちの一つに伝達される。
選択可能な実施形態として、選択器２０２は、与えられたチャンネル状態情報及び付加的なパラメータに基づいて、変調技法だけでなく、ＱＡＭ及び／又はＦＳＫのための変調次数、符号率、反復回数などを追加的に決定する制御器として動作することができる。
【００３８】
情報ビットをＦＱＡＭ変調技法を使用して伝送すると決定した場合、情報ビットは、ＦＱＡＭ経路のＭ進チャンネル符号器（M-ary Channel Encoder）、言い換えれば、非２進チャンネル符号器２０６に入力される。ここで、Ｍは、２より大きい正の整数である。非２進チャンネル符号器２０６は、１ビット入力に対してパリティビットを生成する２進チャンネル符号器に比べて、複数のビット入力に対してパリティビットを生成するように構成される。例えば、非２進チャンネル符号器２０６は、２個のＲＳＣＣ（Recursive Systematic Convolutional Codes）を並列連結することによって構成され、複数の入力ビットを使用してパリティビットを同時に発生する。非２進チャンネル符号器２０６は、与えられた符号率（code rate）によって、例えば、１６進ターボ符号、３２進ターボ符号、又は６４進ターボ符号で構成され得る。別の実施形態として、上記三つのターボ符号のうち少なくとも一つが省略されるか、他のターボ符号が代替的に又は追加的に使用され得る。上記符号率は、チャンネル状態を示す測定値、例えば、ＳＮＲ又はＳＩＮＲなどによって目標フレームエラー率（Frame Error Rate：ＦＥＲ）を満足させるように定められるＭＣＳレベルによって決定され得る。
【００３９】
非２進チャンネル符号器２０６から出力される符号化ビット列（Encoded bit stream）は、レートマッチング器（Rate matching）２０８により所望の伝送率を有するビット列に変換される。上記レートマッチングされたビット列は、ＦＱＡＭシンボルマッピング器２１０によりＭ進ＦＱＡＭシンボルにマッピングされる。ＦＱＡＭシンボルマッピング器２１０は、与えられた変調次数、すなわち、ＱＡＭの変調次数ＭＱとＦＳＫの変調次数ＭＦに基づいたＦＱＡＭの変調次数Ｍによって、上記レートマッチングされたビット列のうち、所定個数（例えば、Ｍ＝ＭＱ＊ＭＦ）のビットグループをＦＱＡＭシンボルにマッピングさせて、ＦＱＡＭシンボル列を出力する。ここで、上記変調次数は、チャンネル状態を示す測定値、例えば、ＳＮＲ又はＳＩＮＲなどによって目標フレームエラー率（ＦＥＲ）を満足させるように定められるＭＣＳレベルによって決定され得る。
【００４０】
シンボルインタリーバ２１２は、ＦＱＡＭシンボルマッピング器２１０から出力されるＦＱＡＭシンボル列を所定のインターリビングパターンによってインターリビングし、インターリビングされたシンボル列は、スイッチ２２２を通して論理リソースマッピング器（logical resource mapping）２２４に入力される。シンボルインタリーバ２１２は、上記変調次数、与えられた符号率、反復回数のうち少なくとも一つを考慮して動作できるように構成される。
【００４１】
論理リソースマッピング器２２４は、入力されたシンボル列を与えられた論理リソース領域にマッピングさせ、物理リソースマッピング器（physical resource mapping）２２６は、上記論理リソース領域にマッピングされたシンボル列を与えられた物理リソース領域にマッピングさせる。論理リソースマッピング器２２４は、ＦＱＡＭ変調技法、特にＦＳＫを考慮して、上記入力されたシンボル列を対応する周波数トーン又は副搬送波に割り当てる。物理リソースマッピング器２２６から出力されるシンボル列は、対応する物理リソース領域を介して無線上に伝送される。
【００４２】
情報ビットをＱＡＭ変調技法を使用して伝送すると決定した場合、情報ビットは、ＱＡＭ経路の２進チャンネル符号器２１４に入力される。２進チャンネル符号器２１４から出力される符号化ビット列は、レートマッチング器２１６により所望の伝送率を有するビット列に変換された後、ビットインタリーバ２１８に入力される。ビットインタリーバ２１８は、入力されたビット列を所定のインターリビングパターンによってインターリビングし、インターリビングされたビット列は、ＱＡＭシンボルマッピング器（QAM symbol mapping）２２０に伝達される。ビットインタリーバ２１８は、与えられた符号率及び反復回数のうち少なくとも一つを考慮して動作できるように構成される。
【００４３】
ＱＡＭシンボルマッピング器２２０は、与えられた変調次数Ｍによって上記インターリビングされたビット列のうち所定個数（Ｍ個）のビットグループをＱＡＭシンボルにマッピングさせて、ＱＡＭシンボル列を出力する。ここで、上記変調次数は、チャンネル状態を示す測定値、例えば、ＳＮＲ又はＳＩＮＲなどによって目標フレームエラー率（ＦＥＲ）を満足させるように定められるＭＣＳレベルによって決定されることができる。例えば、ＱＡＭシンボルマッピング器２２０は、４−ＱＡＭ（すなわち、ＱＰＳＫ（Quadrature Phase Shifting Keying））、１６−ＱＡＭ、６４−ＱＡＭのうち少なくとも一つ又は他のＱＡＭ方式に従う変調シンボルを生成することができる。上記ＱＡＭシンボル列はスイッチ２２２を経て論理リソースマッピング器２２４に伝達される。
【００４４】
論理リソースマッピング器２２４は、入力されたシンボル列を与えられた論理リソース領域にマッピングさせ、物理リソースマッピング器２２６は、上記論理リソース領域にマッピングされたシンボル列を与えられた物理リソース領域にマッピングさせる。物理リソースマッピング器２２６から出力されるシンボル列は、対応する物理リソース領域を介して無線上に伝送される。
【００４５】
図３は、本発明の一実施形態によって、ＱＡＭと改善されたＱＡＭをサポートする受信器構造を示したブロック図である。図示された構造は、図２の送信器構造に対応するもので、改善されたＱＡＭ変調された信号の受信のためには、非２進チャンネル復号化が使用され、ＱＡＭ変調された信号の受信のためには、２進チャンネル復号化が使用される。以下では、改善されたＱＡＭの例としてＦＱＡＭを説明するが、本発明はＦＱＡＭに限定されるものではない。
【００４６】
図３を参照すると、物理リソースデマッピング器３０２は、受信された信号のうち与えられた物理リソース領域にマッピングされた信号を検出し、論理リソースデマッピング器３０４は、上記検出された信号のうち与えられた論理リソースにマッピングされた信号を検出する。選択器３０６は、送信器からの指示によって送信器により使用された技法と同一の変調技法を選択する。物理リソースデマッピング器３０２と論理リソースデマッピング器３０４により検出された受信信号は、スイッチ３０８を通してＦＱＡＭ経路３１０、３１２、３１４、３１６とＱＡＭ経路３１８、３２０、３２２、３２４とのうちの一つに伝達される。選択可能な実施形態として、選択器３０６は、測定されたチャンネル状態情報及び付加的なパラメータに基づいて、送信器で使用されたアルゴリズムと同一の選択アルゴリズムを使用して変調技法だけでなく、ＱＡＭ及び／又はＦＳＫのための変調次数、符号率、反復回数などを追加的に決定する制御器として動作することができる。
【００４７】
受信信号がＦＱＡＭ変調技法を使用して伝送されたと確認された場合、受信信号は、ＦＱＡＭ経路のシンボルＬＬＲ（Log Likelihood Ratio）計算器３１０に伝達される。シンボルＬＬＲ計算器３１０は、ＦＱＡＭの変調次数によって受信信号から復元しようとするシンボルに対するＬＬＲ値を計算する。シンボルデインタリーバ３１２は、上記シンボルＬＬＲ値を送信器のシンボルインタリーバ２１２で使用されたインターリビングパターンに対応するデインタリービングパターンによってデインタリービングし、レートデマッチング器（Rate Dematching）３１４は、デインタリービングされた値を送信器のレートマッチング器２０８によるレートマッチングの逆動作によってシンボル単位結合することによってレートデマッチングを遂行する。シンボルデインタリーバ３１２は、送信器により使用された変調次数、符号率、反復回数のうち少なくとも一つを考慮して動作できるように構成される。レートデマッチング器３１４も送信器で使用された反復回数及び符号率によって動作する。
【００４８】
非２進チャンネル復号器３１６は、レートデマッチングされた値に基づいて送信器の非２進チャンネル符号器２０６で使用された変調次数及び符号率によってチャンネル復号を遂行して、情報ビットを復元する。非２進チャンネル復号器３１６は、非２進チャンネル符号器２０６の種類によって、１６進ターボ復号器、３２進ターボ復号器、又は６４進ターボ復号器で構成され得る。
【００４９】
受信信号がＱＡＭ変調技法を使用して伝送されたと確認された場合、受信信号は、ＱＡＭ経路のビットＬＬＲ計算器３１８に伝達される。ビットＬＬＲ計算器３１８は、ＱＡＭの変調次数によって受信信号から復元しようとするビットに対するＬＬＲ値を計算する。ビットデインタリーバ３２０は、上記ビットＬＬＲ値を送信器のビットインタリーバ２１８で使用されたインターリビングパターンに対応するデインタリービングパターンによってデインタリービングし、レートデマッチング器３２２は、デインタリービングされた値を送信器のレートマッチング器２１６によるレートマッチングの逆動作によってシンボル単位結合することによってレートデマッチングを遂行する。ビットデインタリーバ３２０は、送信器により使用された符号率、反復回数のうち少なくとも一つを考慮して動作できるように構成される。レートデマッチング器３２２も送信器で使用された反復回数及び符号率によって動作する。
【００５０】
２進チャンネル復号器３２４は、レートデマッチングされた値に基づいて送信器の２進チャンネル符号器２１４で使用された符号率によってチャンネル復号を遂行して、情報ビットを復元する。
【００５１】
図４は、本発明の別の実施形態によって、ＱＡＭと改善されたＱＡＭをサポートする送信器構造を示したブロック図である。図示された構造では、使用される変調技法に関係なく特定チャンネル符号化技法、例えば、非２進チャンネル符号化が基本的に使用され、改善されたＱＡＭ変調技法のために追加的なチャンネル符号化が使用される。以下では、改善されたＱＡＭの例としてＦＱＡＭを説明するが、本発明はＦＱＡＭに限定されるものではない。
【００５２】
図４を参照すると、外部符号器（Outer encoder）４０２は、入力される情報ビットを符号化して第１の符号化ビット列を生成する。外部符号器４０２のための外部符号化方式は、例えば、ターボ符号（turbo code）、ＬＤＰＣ（Low Density Parity Check）符号、畳み込み符号（Convolutional Code）、ＲＡ（Repeat-Accumulate）符号などであり得る。第１の符号化ビット列は、レートマッチング器４０４により所望の伝送率を有するビット列に変換される。上記レートマッチングされたビット列は、ビットインタリーバにより所定のインターリビングパターンによってインターリビングされた後に、選択器４０８に伝達される。
【００５３】
選択器４０８は、受信器からフィードバックされた受信ＳＩＮＲと、受信器のＨＡＲＱサポート可否と、受信器の性能と、隣接セル干渉の非ガウス化程度などのような予め定められる少なくとも一つの基準によって、変調技法を選択する。選択された変調技法によって、選択器４０８に入力されたレートマッチングされたビット列は、スイッチ４１０を通してＦＱＡＭ経路４１２、４１４とＱＡＭ経路４１６とのうちの一つに伝達される。選択可能な実施形態として、選択器４０８は、与えられたチャンネル状態情報及び付加的なパラメータに基づいて、変調技法だけでなくＱＡＭ及び／又はＦＳＫのための変調次数、符号率などを追加的に決定する制御器として動作することができる。
【００５４】
ＦＱＡＭ変調技法が選択された場合、レートマッチングされたビット列は、ＦＱＡＭ経路の内部符号器（Inter Encoder）４１２に入力される。内部符号器４１２のための内部符号化方式は、例えば、トレリス符号（Trellis Code）であり得る。内部符号器４１２により生成された第２の符号化ビット列は、ＦＱＡＭシンボルマッピング器４１４によりＭ進ＦＱＡＭシンボルにマッピングされる。ＦＱＡＭシンボルマッピング器４１４は、与えられた変調次数、すなわち、ＱＡＭの変調次数ＭＱとＦＳＫの変調次数ＭＦに基づいたＦＱＡＭの変調次数Ｍによって、上記第２の符号化ビット列のうち所定個数（例えば、Ｍ＝ＭＱ＊ＭＦ）のビットグループをＦＱＡＭシンボルにマッピングさせて、ＦＱＡＭシンボル列を出力する。ここで、上記変調次数は、チャンネル状態を示す測定値、例えば、ＳＮＲ又はＳＩＮＲなどによって目標フレームエラー率（ＦＥＲ）を満足させるように定められるＭＣＳレベルによって決定されることができる。
【００５５】
ＦＱＡＭシンボルマッピング器４１４により生成されたシンボル列は、論理リソースマッピング器４２０に伝達される。論理リソースマッピング器４２０は、入力されたシンボル列を与えられた論理リソース領域にマッピングさせ、物理リソースマッピング器４２２は、上記論理リソース領域にマッピングされたシンボル列を与えられた物理リソース領域にマッピングさせる。論理リソースマッピング器４２０は、ＦＱＡＭ変調技法、特にＦＳＫを考慮して、上記入力されたシンボル列を対応する周波数トーン又は副搬送波に割り当てる。物理リソースマッピング器４２２から出力されるシンボル列は、対応する物理リソース領域を介して無線上に伝送される。
【００５６】
ＱＡＭ変調技法が選択された場合、レートマッチングされたビット列は、ＱＡＭ経路のＱＡＭシンボルマッピング器４１６に伝達される。ＱＡＭシンボルマッピング器４１６は、与えられた変調次数Ｍによって上記レートマッチングされたビット列のうち所定個数（Ｍ個）のビットグループをＱＡＭシンボルにマッピングさせて、ＱＡＭシンボル列を出力する。ここで、上記変調次数は、チャンネル状態を示す測定値、例えば、ＳＮＲ又はＳＩＮＲなどによって目標フレームエラー率（ＦＥＲ）を満足させるように定められるＭＣＳレベルによって決定されることができる。上記ＱＡＭシンボル列は、スイッチ４１８を経て論理リソースマッピング器４２０に伝達される。
【００５７】
論理リソースマッピング器４２０は、入力されたシンボル列を与えられた論理リソース領域にマッピングさせ、物理リソースマッピング器４２２は、上記論理リソース領域にマッピングされたシンボル列を与えられた物理リソース領域にマッピングさせる。物理リソースマッピング器４２２から出力されるシンボル列は、対応する物理リソース領域を介して無線上に伝送される。
【００５８】
図５は、本発明の別の実施形態によって、ＱＡＭと改善されたＱＡＭをサポートする受信器構造を示したブロック図である。図示された構造は、図４の受信器構造に対応するものとして、改善されたＱＡＭ変調された信号の受信のためには、非２進チャンネル復号化が使用され、ＱＡＭ変調された信号の受信のためには、２進チャンネル復号化が使用される。以下では、改善されたＱＡＭの例としてＦＱＡＭを説明するが、本発明はＦＱＡＭに限定されるものではない。
【００５９】
図５を参照すると、物理リソースデマッピング器５０２は、受信された信号のうち与えられた物理リソース領域にマッピングされた信号を検出し、論理リソースデマッピング器５０４は、上記検出された信号のうち与えられた論理リソースにマッピングされた信号を検出する。選択器５０６は、送信器からの指示によって送信器により使用された技法と同一の変調技法を決定する。別の実施形態として、選択器５０６は、送信器で使用したアルゴリズムと同一のアルゴリズムを使用して上記受信された信号に適用された変調技法を選択することができる。物理リソースデマッピング器５０２と論理リソースデマッピング器５０４により検出された受信信号は、スイッチ５０８を通してＦＱＡＭ経路５１０、５１２とＱＡＭ経路５１４とのうちの一つに伝達される。選択可能な実施形態として、選択器５０６は、測定されたチャンネル状態情報及び付加的なパラメータに基づいて、送信器で使用されたアルゴリズムと同一の選択アルゴリズムを使用して変調技法だけでなく、ＱＡＭ及び／又はＦＳＫのための変調次数、符号率、反復回数などを追加的に決定する制御器として動作することができる。
【００６０】
受信信号がＦＱＡＭ変調技法を使用して伝送されたと確認された場合、受信信号は、ＦＱＡＭ経路のシンボルＬＬＲ計算器５１０に伝達される。シンボルＬＬＲ計算器５１０は、ＦＱＡＭの変調次数によって受信信号から復元しようとするシンボルに対するＬＬＲ値を計算する。内部復号器５１２は、上記ＬＬＲ値に基づいて送信器の内部符号器４１２で使用された符号率によってチャンネル復号を遂行して符号化ビットを復元する。別の実施形態として、内部復号器５１２は、符号化されたビット列や、軟性値（soft values）又は硬性値（hard values）を出力することができる。
受信信号がＱＡＭ変調技法を使用して伝送されたと確認された場合、受信信号は、ＱＡＭ経路のビットＬＬＲ計算器５１４に伝達される。ビットＬＬＲ計算器５１４は、ＱＡＭの変調次数によって受信信号から復元しようとするビットに対するＬＬＲ値を計算する。
【００６１】
ビットデインタリーバ５１８は、内部復号器５１２により復号された出力値又はビットＬＬＲ計算器５１４により計算されたビットＬＬＲ値を送信器のビットインタリーバ４０６で使用されたインターリビングパターンに対応するデインタリービングパターンによってデインタリービングし、レートデマッチング器５２０は、デインタリービングされた値を送信器のレートマッチング器４０４によるレートマッチングの逆動作によってビット単位結合することによってレートデマッチングを遂行する。ビットデインタリーバ５１８は、送信器により使用された符号率、反復回数のうち少なくとも一つを考慮して動作できるように構成される。レートデマッチング器５２０も送信器で使用された反復回数及び符号率によって動作する。
【００６２】
外部復号器５２２は、レートデマッチングされた値に基づいて送信器の外部符号器４０２で使用された符号率によってチャンネル復号を遂行して、情報ビットを復元する。
一方、図２乃至図５では、レートマッチング／デマッチング器とインタリーバ／デインタリーバを含む構造を示したが、これらは、その位置が変更又は省略され得る。
【００６３】
図６は、本発明の一実施形態によるＦＱＡＭ方式とＭ進符号化変調（Coded Modulation：ＣＭ）方式をサポートする送信器構造を示したブロック図である。
図６を参照すると、情報ビット６００は、第１の選択器（Channel code selector）６０２に入力され、第１の選択器６０２は、与えられた変調次数Ｍによってｍ個の情報ビットをＭ進符号器６０４に伝達する。すなわち、ｍ＝ｌｏｇ２（Ｍ）によって１６進符号器６０６には４ビットの情報ビットが入力され、３２進符号器６０８には５ビットの情報ビットが入力され、６４進符号器６１０には６ビットの情報ビットが入力される。ここで、変調次数Ｍは、受信端からフィードバックされたチャンネル品質（すなわち、受信信号強度）と周辺基地局（送信端）又は上位エンティティ（entity）の要請内容により決定されたＭＦとＭＱによって決定される。すなわち、Ｍ＝ＭＦ＊ＭＱのように決定される。ここで、ＭＦは、ＦＳＫ方式のパラメータ、すなわち、ＦＳＫの変調次数を意味し、ＭＱは、ＱＡＭ方式のパラメータ、すなわち、ＱＡＭの変調次数を意味し、ＭＦ及びＭＱは、以後、図７を通して詳細に説明するので、ここでは、その説明を省略する。
【００６４】
Ｍ進符号器６０４から出力された符号化ビット列は、レートマッチング器６１２により所望の符号率を有するビット列に変換された後、Ｍ進ＦＱＡＭシンボルマッピング器６１４に入力される。Ｍ進ＦＱＡＭシンボルマッピング器６１４は、変調次数ＭＦ、ＭＱを考慮して入力されたビット列の各々を一つの複素数シンボルにマッピングさせてＦＱＡＭシンボル列を出力し、上記ＦＱＡＭシンボル列は反復器６１６に伝達される。反復器６１６は、入力されたシンボル列を予め定められた反復回数ぐらい反復して第２の選択器（Interleaver selector）６１８に出力する。
【００６５】
第２の選択器６１８は、入力されたシンボル列の変調次数、符号率及び反復回数を考慮してＦＱＡＭシンボルインタリーバ６２０、すなわち、第１乃至第Ｌのシンボルインタリーバ６２２、６２４のうちの一つに伝達する。第１乃至第Ｌのシンボルインタリーバ６２２、６２４の各々は、入力されたシンボル列を予め定められたインターリビングパターン、すなわち、予め定められた長さ（Ｘ１乃至ＸＬ）によってシンボル単位でインターリビングし、インターリビングされたシンボル列は論理リソースマッピング器６２６に伝達される。論理リソースマッピング器６２６は、入力されたシンボル列を伝送に使用される論理リソース領域にマッピングさせて、論理リソースマッピングシンボル列を生成し、上記論理リソースマッピングシンボル列を物理リソースマッピング器６２８に伝達する。物理リソースマッピング器６２８は、上記論理リソースマッピングシンボル列を伝送に使用される物理リソース領域にマッピングさせて、物理リソースマッピングシンボル列を生成する。逆高速フーリエ変換（Inverse Fast Fourier Transform：ＩＦＦＴ）器６３０は、物理リソースマッピングシンボル列をＩＦＦＴ変換し、ＩＦＦＴ変換されたシンボル列は追加処理を経て無線上に伝送される。
【００６６】
図示された送信器は、適切な送信方式を決定するために、変調次数Ｍ、ＭＦ、ＭＱ、符号率及び反復回数を決定する制御器が必要であり、以下では、図７を通して送信器内部に位置する制御器が変調次数Ｍ、ＭＦ、ＭＱ、符号率及び反復回数を決定する動作に対して詳細に説明する。
【００６７】
図７は、本発明の一実施形態によるＦＱＡＭ方式とＭ進ＣＭ方式をサポートする送信器構造に含まれる制御器動作を示した図である。
図７を参照すると、制御器７００は、受信端からＣＱＩと干渉成分を代表するパラメータα、β、δのフィードバックを受ける（７０２）。ここで、制御器７００がＣＱＩとα、β、δのフィードバックを受けるステップ７０２は、送信器が受信器にＣＱＩとα、β、δを要請するステップと受信器から上記要請に対する応答でＣＱＩとα、β、δを受信するステップを含み得る。またパラメータα、βは、干渉チャンネルでの干渉成分がＣＧＧ（Complex Generalized Gaussian）分布を有するという仮定の下に、モデリングする統計パラメータとして、例えば、下記＜数式１＞のように求めることができる。
【００６８】
【数１】
0006465810.tif 000004
【００６９】
＜数式１＞で、Ｙは受信信号を示し、Ｈはチャンネルを示し、ｓは伝送信号を示し、Ｊは干渉信号を示す。
また、ｋは副搬送波にマッピングされるＦＱＡＭシンボルインデックスを示し、ＦＱＡＭシンボルはＭＦ個の周波数トーン単位で構成され、ｌは周波数トーンインデックスを示し、ｌ＝１，…，ＭＦである。
【数２】
0006465810.tif 000005
はガンマ（gamma）関数である
【数３】
0006465810.tif 000006
として、ｋ番目のＦＱＡＭ受信信号で所望の信号（desired signal）を除外した値を示すが、ｋ番目のＦＱＡＭ信号に対してｌ＝１からＭＦまでの総ＭＦ個の周波数トーンに対して表現される。ここで、総ＭＦ個の周波数トーンのうちＦＱＡＭ信号が送信されるＭ［ｋ］周波数トーンに対してのみ所望の信号が存在する。したがって、ｌ＝１からＭＦまでの周波数トーンのうちｍ［ｋ］周波数トーンに対しては所望の信号を引いた値が干渉信号と雑音の和と同一であり、残りの周波数トーンに対しては受信信号自体が干渉信号と雑音の和と同一である。また、
【数４】
0006465810.tif 000007
はｋ番目のＦＱＡＭシンボルに対する所望の信号に該当するチャンネルの情報を示し、
【数５】
0006465810.tif 000008
はｋ番目の送信データシンボルに対するＱＡＭ信号を示し、
【数６】
0006465810.tif 000009
はデルタ（delta）関数である。ここで、ｍ［ｋ」はＦＱＡＭ信号が送信される周波数トーンインデックスを示す。
【００７０】
このように、αは、受信信号で自身が受信しようとする信号成分を除外した値の２次統計から誘導して求めることができ、βは、受信信号内の信号成分を除外した値の１次統計から誘導して求めることができる。またδは、受信器が計算した干渉統計モデル、例えば、チャンネル間干渉（ＩＣＩ：Inter-Carrier Interference）を示したヒストグラムとα、βに基づいてモデリングしたＣＧＧ分布との間の差を表す指標である。例えば、干渉統計モデルとＣＧＧ分布との差が大きくない場合に、δは０と決定され、干渉統計モデルとＣＧＧ分布との差が大きい場合に、δは１と決定される。
【００７１】
送信器は、受信端からフィードバックされた干渉成分を代表するパラメータα、β、δを周辺送信器（又は基地局）又は上位エンティティ（entity）と共有し（７０４）、自身の通信領域での受信器干渉状況を類推する。類推した干渉状況が正規分布（Normal Distribution）に近いと判断する場合、周辺送信器にＭＦを増加させるように要請して、該当通信領域での受信器に対する干渉の正規分布特性が小さくなるようにする。反対に、類推した干渉状況が正規分布と既に十分に距離があると判断する場合、周辺送信器にＭＱを増加させて伝送効率を大きくしてもよいと認知させる。
【００７２】
例を挙げて説明すると、送信器は、自身の通信領域での受信器から干渉成分を代表するパラメータα、δのフィードバックを受け、フィードバックされたα、δの値によって次のような動作を実行する。
１）第１実施形態
送信器は、大部分の受信器からフィードバックされたα値が２であり、δ値が０である場合、受信器が経験する干渉状況が正規分布に近いと判断し、ＭＣＳ別リンク性能に対する値を示したリンクテーブルとＣＱＩを比較して候補ＭＦ、ＭＱを決定する。
また送信器は、周辺送信器又は上位エンティティからＭＦ又はＭＱの増加要請が受信されたかを確認し、ＭＦ又はＭＱ増加要請が受信された場合、これを反映するか否かを判断して、最終ＭＦ、ＭＱを決定する。
以後、送信器は、周辺送信器又は上位エンティティにＭＦの増加を要請する。
【００７３】
２）第２実施形態
送信器は、大部分の受信器からフィードバックされたαの値が２より小さく、δの値が０である場合、受信器が経験する干渉状況が正規分布に近くはないが、ＣＧＧ分布に該当すると判断し、これに基づいてＭＣＳ別リンク性能に対する値を示したリンクテーブルとＣＱＩを比較して候補ＭＦ、ＭＱを決定する。
また送信器は、周辺送信端又は上位エンティティからＭＦ又はＭＱの増加要請が受信されたかを確認し、ＭＦ又はＭＱの増加要請が受信された場合、これを反映するか否かを判断して、最終ＭＦ、ＭＱを決定する。
以後、送信器は、周辺送信端又は上位エンティティにＭＱを増加させてもよいという認知を伝達する。
【００７４】
３）第３実施形態
送信器は、大部分の受信器からフィードバックされたδの値が１である場合、受信器が経験する干渉状況がＣＧＧ分布と差異が激しいと判断し、ＭＣＳ別リンク性能に対する値を示したリンクテーブルとＣＱＩを比較して候補ＭＦ、ＭＱを決定する。
また送信器は、周辺送信端又は上位エンティティからＭＦ又はＭＱの増加要請が受信されたかを確認し、ＭＦ又はＭＱの増加要請が受信された場合、これを反映するか否かを判断して、最終ＭＦ、ＭＱを決定する。
以後、送信器は、周辺送信端又は上位エンティティにＭＱを増加させてもよいという認知を伝達する。
【００７５】
上述した第１実施形態乃至第３実施形態で、最終ＭＦ、ＭＱを決定する動作をより詳細に説明すると、下記のようである。
制御器７００は、ＣＱＩとα、β、δを獲得して（７０６）、ＭＣＳ別リンク性能に対する値を示したリンクテーブルとＣＱＩを比較して候補ＭＦ、ＭＱを決定する（７０８）。また制御器７００は、周辺送信器又は上位エンティティからＭＦ又はＭＱの増加要請が受信されたか否か、又はＭＦ又はＭＱの増加要請が受信された場合、これを反映するか否かなどの運用基準を考慮して、最終ＭＦ、ＭＱを決定する（７１０）。以後、制御器７００は、送信器に適用される符号率及び反復回数を決定する（７１２）。
【００７６】
図８は、本発明の一実施形態によるＦＱＡＭ方式とＭ進ＣＭ方式をサポートする受信器構造を示したブロック図である。
図８を参照すると、受信信号８００は、高速フーリエ変換（Fast Fourier Transform：ＦＦＴ）器８０２に入力され、ＦＦＴ器８０２は、ＦＦＴ変換された受信信号を出力して物理リソースデマッピング器８０４に伝達する。物理リソースデマッピング器８０４は、入力された受信信号のうち与えられた物理リソース領域にマッピングされた信号を検出し、論理リソースデマッピング器８０６は、上記検出された信号のうち与えられた論理リソースにマッピングされた信号を検出する。
【００７７】
第１の選択器（LLR calculator selector）８１０は、送信器で使用された変調次数Ｍ、すなわち、ＭＦ、ＭＱによって物理リソースデマッピング器８０４と論理リソースデマッピング器８０６により検出された受信信号をシンボルＬＬＲベクトル計算器８１２に伝達する。すなわち、第１の選択器８１０は、変調次数Ｍによって受信信号が４ＦＳＫ及び４ＱＡＭ変調技法を使用して伝送されたと確認された場合、上記受信信号を第１のシンボルＬＬＲベクトル計算器８１４に伝達し、受信信号が１６ＦＳＫ及び４ＱＡＭ変調技法を使用して伝送されたと確認された場合、上記受信信号を第ＬのシンボルＬＬＲベクトル計算器８１６に伝達する。図示していないが、シンボルＬＬＲベクトル計算器８１２は、第２のシンボルＬＬＲベクトル計算器乃至第Ｌ−１のシンボルＬＬＲベクトル計算器を追加で含み得る。第１の選択器８１０は、受信信号が２ＦＳＫ及び８ＱＡＭ変調技法、８ＦＳＫ及び２ＱＡＭ変調技法、８ＦＳＫ及び８ＱＡＭ変調技法、又は他の該当する変調技法を使用して伝送されたと確認された場合、第２のシンボルＬＬＲベクトル計算器乃至第Ｌ−１のシンボルＬＬＲベクトル計算器のうち該当シンボルＬＬＲベクトル計算器に上記受信信号を伝達する。
シンボルＬＬＲベクトル計算器８１２は、ＦＱＡＭの変調次数によって、上記伝達された受信信号から復元しようとするシンボルに対するＬＬＲ値を計算する。ここで、ＭＦ、ＭＱは、送信器から受信器に予め指示される値である。
【００７８】
第２の選択器（Deinterleaver selector）８１８は、上記シンボルに対するＬＬＲ値を上記シンボルの変調次数、符号率及び反復回数を考慮してＦＱＡＭデインタリーバ８２０、すなわち、第１乃至第Ｌのシンボルインタリーバ８２２、８２４のうちの一つに伝達する。第１乃至第Ｌのシンボルインタリーバ８２２、８２４の各々は、上記シンボルに対するＬＬＲ値を送信器のＦＱＡＭシンボルインタリーバ６２０で使用されたインターリビングパターンに対応するデインタリービングパターン、すなわち、予め定められた長さ（Ｘ１乃至ＸＬ）によってシンボル単位でデインタリービングし、デインタリービングされた値は、レートデマッチング器（Rate Dematching）８２６に伝達される。
【００７９】
レートデマッチング器８２６は、デインタリービングされた値を送信器のレートマッチング器６１２によるレートマッチングの逆動作によってシンボル単位で結合することによってレートデマッチングを遂行する。この時、レートデマッチング器８２６は、送信器で使用された反復回数及び符号率によって動作する。第３の選択器（Channel code selector）８２８は、送信器で使用された変調次数Ｍによってレートデマッチングされた値をＭ進復号器８３０に伝達する。Ｍ進復号器８３０は、ｍ＝ｌｏｇ２（Ｍ）によって該当情報ビットを出力する。すなわち、１６進復号器８３２は、４ビットの情報ビットを出力し、３２進復号器８３４は、５ビットの情報ビットを出力し、６４進復号器８３６は、６ビットの情報ビットを出力する。
【００８０】
図９は、本発明の一実施形態によるＦＱＡＭ方式及びＭ進ＣＭ方式をサポートする送信器の信号送信動作を示した順序図である。
図９を参照すると、送信器は、ステップ９０２で情報ビットをＭ進符号化方式によって符号化し、ステップ９２０のＭＦ、ＭＱ決定を実行する。すなわち、送信器は、ステップ９０４で受信器のフィードバック情報としてＣＱＩ及び干渉成分パラメータα、β、δを獲得し、ステップ９０６でＭＣＳ別リンク性能に対する値を示したリンクテーブルとＣＱＩを比較して候補ＭＦ、ＭＱを決定し、ステップ９０８で周辺送信器又は上位エンティティからＭＦ又はＭＱの増加要請が受信されたか否か、又は上記ＭＦ又はＭＱの増加要請が受信された場合、これを反映するか否かなどの運用基準を考慮して、最終ＭＦ、ＭＱを決定する。
【００８１】
ステップ９１０で、送信器は、ステップ９２０を通して決定したＭＦ、ＭＱによって符号化された情報ビットをＦＱＡＭシンボルにマッピングし、ステップ９１２に進行する。ステップ９１２で、送信器は、ＭＦ、ＭＱと伝送する信号に対するリソース割り当て領域情報を受信器に伝達し、ステップ９１４に進行してＦＱＡＭシンボルを与えられたリソース領域、すなわち、上記リソース割り当て領域情報が指示するリソース領域を介して伝送する。
【００８２】
図９では、送信器が情報ビットをＦＱＡＭシンボルにマッピングして伝送する動作を一例として説明したが、送信器は、上記の動作とは別個で、α、δの値を考慮して周辺送信器又は上位エンティティにＭＦ又はＭＱを増加させることを要請する動作を実行することができる。α、δの値を考慮して周辺送信器又は上位エンティティにＭＦ又はＭＱを増加させることを要請する動作は、上述した第１実施形態乃至第３実施形態を通して詳細に説明したので、ここでは、その説明を省略する。
【００８３】
図１０は、発明の一実施形態によるＦＱＡＭ方式及びＭ進ＣＭ方式をサポートする受信器の信号受信動作を示した順序図である。
図１０を参照すると、受信器は、ステップ１０００で送信器からＭＦ、ＭＱと受信する信号に対するリソース割り当て領域情報を受信し、ステップ１００２に進行する。ステップ１００２で、受信器は、送信器から伝送される信号を与えられたリソース領域、すなわち、上記リソース割り当て領域情報が指示するリソース領域を介して受信し、ステップ１００４に進行する。
ステップ１００４で、受信器は、ＭＦ、ＭＱによって受信信号から復元しようとするシンボルに対するシンボルＬＬＲ値を計算し、ステップ１００６に進行する。ステップ１００６で、受信器は、シンボルＬＬＲ値をＭ進符号化方式によって復号して情報ビットを復元する。
【００８４】
図１０では、受信器が信号を受信して情報ビットで復元する動作を一例として説明したが、受信器は、上述した動作とは別個に、送信器からＣＱＩとα、β、δに対する情報要請を受信する場合、これに対する応答で、上記ＣＱＩとα、β、δを上記送信器にフィードバックする動作を実行することができる。
【００８５】
以上で説明した送受信構造で、機能ブロックに対する順序及び配置は、変形可能であることに留意すべきである。例えば、レートマッチング及びインターリビングは、相互交換又は省略され得る。別の例で、論理／物理リソースマッピング器と物理／論理リソースデマッピング器は、一つのリソースマッピング／デマッピング器に統合されて具現され得る。
【００８６】
以上、本発明の詳細な説明においては具体的な実施形態に関して説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【符号の説明】
【００８７】
２０２，３０６，４０８，５０６，６０２，６１８，８１０，８１８，８２８  選択器
２０４，２２２，３０８，４１０，４１８，５０８，５１６  スイッチ
２０６  非２進チャンネル符号器
２０８，２１６，４０４，６１２  レートマッチング器
２１０，４１４，６１４  非２進ＦＱＡＭシンボルマッピング器
２１２  シンボルインタリーバ
２１４  ２進チャンネル符号器
２１８，４０６  ビットインタリーバ
２２０  非２進ＱＡＭシンボルマッピング器
２２４，４２０，６２６  論理リソースマッピング器
２２６，４２２，６２８  物理リソースマッピング器
３０２，５０２，８０４  物理リソースデマッピング器
３０４，５０４，８０６  論理リソースデマッピング器
３１０，５１０  シンボルＬＬＲ計算器
３１２  シンボルデインタリーバ
３１４  レートデマッチング器
３１６  非２進チャンネル復号器
３１８，５１４  ビットＬＬＲ計算器
３２０，５１８  ビットデインタリーバ
３２２，５２０，８２６  レートデマッチング器
３２４  ２進チャンネル復号器
４０２  外部符号器
４１２  内部符号器
５１２  内部復号器
５２２  外部復号器
６００  情報ビット
６０４  Ｍ進符号器
６０６  １６進符号器
６０８  ３２進符号器
６１０  ６４進符号器
６１６  反復器
６２０  ＦＱＡＭシンボルインタリーバ
６２２  第１のシンボルインタリーバ
６２４  第Ｌのシンボルインタリーバ
６３０  逆高速フーリエ変換（ＩＦＦＴ）器
７００  制御器
８００  受信信号
８０２  高速フーリエ変換（ＦＦＴ）器
８１２  シンボルＬＬＲベクトル計算器
８１４  第１のシンボルＬＬＲベクトル計算器
８１６  第ＬのシンボルＬＬＲベクトル計算器
８２０  ＦＱＡＭシンボルデインタリーバ
８２２  第１のシンボルデインタリーバ
８２４  第Ｌのシンボルデインタリーバ
８３０  Ｍ進復号器
８３２  １６進復号器
８３４  ３２進復号器
８３６  ６４進復号器
【図１ａ】
0006465810.tif 000010
【図１ｂ】
0006465810.tif 000011
【図１ｃ】
0006465810.tif 000012
【図１ｄ】
0006465810.tif 000013
【図１ｅ】
0006465810.tif 000014
【図２】
0006465810.tif 000015
【図３】
0006465810.tif 000016
【図４】
0006465810.tif 000017
【図５】
0006465810.tif 000018
【図６】
0006465810.tif 000019
【図７】
0006465810.tif 000020
【図８】
0006465810.tif 000021
【図９】
0006465810.tif 000022
【図１０】
0006465810.tif 000023